(57)【特許請求の範囲】
【請求項１】
主バーナ（５）で火葬される主燃焼室（３）から発生する未燃焼ガスを煙道（６）を通じて再燃焼室（７）に誘導して副バーナ（８）で再燃する火葬炉において、
煙道（６）を主燃焼室（３）の主バーナ（５）寄り側より起立すると共に再燃焼室（７）の上部に通じる状態で設け、煙道（６）の上部に副バーナ（８）をその火炎が煙道（６）内に噴射する状態で設け、再燃焼室（７）の側面下部に排出口（９）をあけ、再燃焼室（７）の天井壁（１２）に副バーナ（８）で加熱されたガスと未燃焼ガスを渦巻き状に攪拌するファン（１３）を設け、再燃焼室（７）内に筒状の整流ガイド（１４）をその上端部でファン（１３）を囲む状態で設け、ファン（１３）によって両ガスが整流ガイド（１４）内に下方へ向かって吹き込まれ、再燃焼室（７）の下から整流ガイド（１４）の外側を上昇して再びファン（１３）で下方へ吹き付けられることを特徴とする火葬炉。
【発明の詳細な説明】
【０００１】
【発明の属する技術分野】
本発明は、主燃焼室と再燃焼室とを煙道で連結して備える火葬炉に関する。
【０００２】
【従来の技術】
従来の火葬炉は周知のように、主燃焼室で主バーナの火炎で火葬し、火葬中に発生する未燃焼ガスを煙道を通じて再燃焼室に誘導し、再燃焼室に設けた副バーナの火炎で再燃し、清浄化されたガスを排気口より排気ファンの吸引によって大気中に放出するものである。
【０００３】
ところで、未燃焼ガスを再燃焼室で清浄化するには、ガスを再燃焼室内に少なくとも１．０秒から２秒程度滞留しておくことが必要であるとされ、その時間に見合った大きさの再燃焼室が要求される。このように所定の滞留時間を保持する再燃焼室を構築するには、一定時間に流入するガスの体積を再燃焼室の内容積で割る数式によって滞留時間を求めることができるもので、一方火葬中のガスの体積はほぼ一定であるから、再燃焼室の内容積を求めるには、所定時間中のガス容積に要求する時間値を掛けることにより算出されるものである。
【０００４】
【発明が解決しようとする課題】
しかし以上のように算出される再燃焼室の大きさは、従来のものよりも更に大きくなり、このような大きな再燃焼室内の温度を所要の加熱温度にまで昇温するためには、副バーナの火炎をアップしなければならないが、副バーナの近辺の加熱温度が異常に高くなり、１２００℃以上になると窒素酸化物が生成され、公害の原因を誘起し、更に空間が大きいと未燃焼ガスと熱気との混合が低下するものである。また、混合を能率良くするために、再燃焼室の必要容積を横断面積を小さくして長さを長くすることも考えられるが、排出口側の温度が低くなり再燃の効果が薄れるものであり、以上の未燃焼ガスを所定時間滞留して燃焼する技術の確立に問題があった。
【０００５】
本発明は以上の問題を解決するために研究し種々実験して、副バーナを異常に稼働することなく、所定時間滞留して未燃焼ガスを完全に燃焼する技術の確立に成功したものである。
【０００６】
【課題を解決するための手段】
本発明による解決手段は、煙道を主燃焼室の主バーナ寄り側より起立すると共に再燃焼室の上部に通じる状態で設け、煙道の上部に副バーナをその火炎が煙道内に噴射する状態で設け、再燃焼室の側面下部に排出口をあけ、再燃焼室の天井壁に副バーナで加熱されたガスと未燃焼ガスを渦巻き状に攪拌するファンを設け、再燃焼室内に筒状の整流ガイドをその上端部でファンを囲む状態で設け、ファンによって両ガスが整流ガイド内に下方へ向かって吹き込まれ、再燃焼室の下から整流ガイドの外側を上昇して再びファンで下方へ吹き付けられることを特徴とする。
【０００７】
【作用】
再燃焼室の天井壁にファンを設け、その下側に筒状の整流ガイドを設けることにより、副バーナで加熱されたガスと未燃焼ガスがファンによって渦巻き状に攪拌され混合しながら整流ガイド内に下方へ向かって吹き込まれ、再燃焼室の下から整流ガイドの外側を上昇して再びファンで下方へ吹き付けられて循環することから、その循環流中に燃焼され、清浄化されたガスが排出口より放出されるものである。
【０００８】
【発明の実施の形態】
本発明の実施形態は、既成の再燃焼室であっても良く、あるいは火葬炉を新設する場合、ガスの滞留すべき時間に応じた容積を持つ大きさの再燃焼室に構築しても良いが、必ずしも滞留時間に関係なく構築しても良い。以上の再燃焼室にファンをその吹き出す方向性に無関係に取り付けるものである。
【０００９】
【実施例】
実施例を図によって説明すると、図１において、１は葬祭場の前ホール、２は前室、３は火葬炉の主燃焼室、４は台車、５は主バーナ、６は煙道、７は再燃焼室、８は副バーナ、９は排出口、１０は温度センサ、１１は排気ファンを示している。
【００１０】
上記煙道６は主燃焼室３の主バーナ５寄り側より起立し、再燃焼室７の上部に通じるように設け、該煙道６の上部に副バーナ８をその火炎が煙道６内に噴射するように設ける。一方再燃焼室７の天井壁１２にファン１３を下方に向けて吹き出すように取り付け、再燃焼室７内にファン１３を囲む筒状の整流ガイド１４を設けたものである。
【００１１】
以上のように設けたファン１３を駆動することにより、主燃焼室３から発生した未燃焼ガスが煙道６を通じて再燃焼室７内に流入する一方、副バーナ８からの熱気ガスも共に流入し、ファン１３によって両ガスが整流ガイド１４内に下方へ向かって吹き込まれ、再燃焼室７の下から整流ガイド１４の外側を上昇して再びファン１３で下方へ吹き付けられるもので、このように循環する間に両ガスが渦巻き状に攪拌され互いに混合し、混合する間に未燃焼物が酸化され清浄化されるものであり、しかもガスは循環しているので再燃焼室７の下部であっても差程の温度差も生じることがなく、再燃焼室７のほぼ全体で酸化作用が得られる。
【００１２】
図２の例は、前記整流ガイドの無いもので、未燃焼ガスと熱気とを煙道６を通じ再燃焼室７の下部側に導入し、天井壁１２に設けたファン１３でその中心部に向かって上方へ吸い上げ、ファン１３で吸い上げたガスを再燃焼室７の内壁面に沿って吹き降ろすように循環して攪拌するものである。
【００１３】
図３の例は、ファン１３を再燃焼室７の一方の側壁１５に取り付けたもので、その他の構造は上記各例と同様である。また図示してないが、図２における再燃焼室７の副バーナ８と対向する壁、即ち排出口９を設けた側の壁にファンを設けても良い。
【００１４】
【発明の効果】
本発明による火葬炉は、副バーナで加熱されたガスと未燃焼ガスがファンによって渦巻き状に攪拌され混合しながら整流ガイド内に下方へ向かって吹き込まれ、再燃焼室の下から整流ガイドの外側を上昇して再びファンで下方へ吹き付けられて循環することから、再燃焼室内の温度を、副バーナの過度の運転を行うことなくして全空間に亘りほぼ均一に燃焼に必要な温度に保つことができ、しかも所要される滞留時間を保って加熱ガスと未燃焼ガスとを混合して完全に燃焼して排出することができるようになる。
【図面の簡単な説明】
【図１】本発明による火葬炉を側面より見て示す断面図である。
【図２】同じく他の例による火葬炉を側面より見て示す断面図である。
【図３】更に他の例の火葬炉を正面より見て示す断面図である。
【符号の説明】
３ 主燃焼室
５ 主バーナ
６ 煙道
７ 再燃焼室
８ 副バーナ
９ 排出口
１３ ファン
【図１】
0003795573.tif 000002
【図２】
0003795573.tif 000003
【図３】
0003795573.tif 000004